(57)【特許請求の範囲】
【請求項１】
給紙口を介して給送するシートを保持する給紙口側を低くして傾斜した給紙スタッカーと、この給紙スタッカーの上面に設けられ給送するシートの側縁を案内するシートの載置基準板と、上記給紙スタッカーの下方に位置し排紙口から排出されるシートの側縁を規制する規制部材を有する排紙スタッカーとを有し、本体装置に対して開閉可能に構成されたシート送り装置において、
上記給紙スタッカーは排紙スタッカーに対して開閉可能となるようにシート搬送方向と交差する方向に給紙口側を支点として回動可能であり、上記排紙スタッカーの規制部材は、前記給紙スタッカー上面の載置基準板よりもシート搬送方向と交差する方向に退避して設けられていて、その上方が給紙スタッカーの傾斜に沿って排紙方向に延設されるともにその上方の一部で給紙スタッカーを直接支持したことを特徴とするシート送り装置。
【請求項２】
上記給紙スタッカーは、シートの給送方向と交差する方向に移動自在であってシートの給送を案内するシート整合ガイドを前記給紙スタッカー上面の載置基準板に対向して設けるとともに、上記排紙スタッカーの規制部材が給紙スタッカーを支持する位置をシート整合ガイドよりも排紙方向側としたことを特徴とする請求項１記載のシート送り装置。
【請求項３】
上記給紙スタッカー裏面の排紙口近傍に排出口から離れるにしたがって排紙スタッカー側に傾斜して排出されるシートを排紙スタッカーに案内する案内ガイドを設けたことを特徴とする請求項１記載のシート送り装置。
【請求項４】
上記給紙スタッカー裏面の排紙口近傍に排出されるシートの除電を行う除電手段を設けたことを特徴とする請求項１記載のシート送り装置。
【請求項５】
給紙口を介して給送するシートを保持する給紙口側を低くして傾斜した給紙スタッカーと、この給紙スタッカーの上面に設けられ給送するシートの側縁を案内するシートの載置基準板と、上記給紙スタッカーの下方に位置し排紙口から排出されるシートの側縁を規制する規制部材を有する排紙スタッカーとを有し、本体装置に対して開閉可能に構成されたシート送り装置において、
上記給紙スタッカーは上記載置基準を一体的に突出させて補強形成されているとともに排紙スタッカーに対して開閉可能となるようにシート搬送方向と交差する方向に給紙口側を支点として回動可能であり、上記排紙スタッカーの規制部材は、前記給紙スタッカー上面の載置基準板よりもシート搬送方向と交差する方向に退避して設けられていて、その上方が給紙スタッカーの傾斜に沿って排紙方向に延設されるともにその上方の一部で給紙スタッカーの上記載置基準の裏側を直接支持したことを特徴とするシート送り装置。
【請求項６】
シート画像を読み取る画像読取装置において、請求項１ないし請求項５のいずれか１項に記載のシート送り装置と、
前記シート画像を読み取るための読取手段とを有すること特徴とする画像読取装置。
【発明の詳細な説明】
【０００１】
【発明の属する技術分野】
この発明は、複写機、ファクシミリ、プリンタ、スキャナー等の画像読取装置に用いられるシート送り装置に関し、特に画像読取装置上部に開閉可能であって排紙スタッカー上方に開閉可能な給紙スタッカーを備えたシート送り装置に関する。
【０００２】
【従来の技術】
従来、この種のシート送り装置は、排紙スタッカー上方に設けられた給紙スタッカーは、排紙スタッカーに対して開閉可能に取り付けられている。これは排紙スタッカーに排紙されたシートが小サイズであるときや排紙口付近でジャムしたシートを取り出し易くするためである。
【０００３】
【発明が解決しようとする課題】
しかし、従来のシート送り装置にあっては、給紙スタッカーを排紙スタッカー側に閉じた給紙状態とするとき、開閉する回動支点部分で支持していたため、給紙スタッカーの給送方向上流側に操作者が不用意に力を加えたり重いものなどを載せた場合には、この回動支点を破損する恐れがあった。
【０００４】
これを防ぐ方法として、上記回動支点とは異なる位置で、給紙スタッカー裏面から排紙スタッカー側に向かって伸びる突き当て板を延設することが考えられるが、シートの排紙経路に近接してこの突き当て板を配置すると、排紙シートが少し曲がって排紙されるとシート先端がこの突き当て板に突き当たってジャムを引き起こす恐れがあった。一方排紙シートの側縁から余裕を持って離間させるとその分シート幅方向に装置が大きくなってしまう。
【０００５】
この発明は、上記課題に鑑みてなされたものであって、排出時にシートの先端等のジャム発生を少なくし、また開放可能な給紙スタッカーを安定して位置決めするとともに、シート幅方向がコンパクトにできるシート給送装置の提供を目的とするものである。
【０００６】
【課題を解決するための手段】
第１の発明は、給紙口を介して給送するシートを保持する給紙口側を低くして傾斜した給紙スタッカーと、この給紙スタッカーの上面に設けられ給送するシートの側縁を案内するシートの載置基準板と、上記給紙スタッカーの下方に位置し排紙口から排出されるシートの側縁を規制する規制部材を有する排紙スタッカーとを有し、本体装置に対して開閉可能に構成されたシート送り装置において、
上記給紙スタッカーは排紙スタッカーに対して開閉可能となるようにシート搬送方向と交差する方向に給紙口側を支点として回動可能であり、上記排紙スタッカーの規制部材は、前記給紙スタッカー上面の載置基準板よりもシート搬送方向と交差する方向に退避して設けられていて、その上方が給紙スタッカーの傾斜に沿って排紙方向に延設されるともにその上方の一部で給紙スタッカーを直接支持したシート送り装置である。
【０００８】
第２の発明は、上記給紙スタッカーが、シートの給送方向と交差する方向に移動自在であってシートの給送を案内するシート整合ガイドを前記給紙スタッカー上面の載置基準板に対向して設けるとともに、上記排紙スタッカーの規制部材が給紙スタッカーを支持する位置をシート整合ガイドよりも排紙方向側としたものである。
【０００９】
第３の発明は、上記給紙スタッカー裏面の排紙口近傍に排出口から離れるにしたがって排紙スタッカー側に傾斜して排出されるシートを排紙スタッカーに案内する案内ガイドを設けたものである。
【００１０】
第４の発明は、上記給紙スタッカー裏面の排紙口近傍に排出されるシートの除電を行う除電手段を設けたものである。
【００１１】
第５の発明は、給紙口を介して給送するシートを保持する給紙口側を低くして傾斜した給紙スタッカーと、この給紙スタッカーの上面に設けられ給送するシートの側縁を案内するシートの載置基準板と、上記給紙スタッカーの下方に位置し排紙口から排出されるシートの側縁を規制する規制部材を有する排紙スタッカーとを有し、本体装置に対して開閉可能に構成されたシート送り装置において、
上記給紙スタッカーは上記載置基準を一体的に突出させて補強形成されているとともに排紙スタッカーに対して開閉可能となるようにシート搬送方向と交差する方向に給紙口側を支点として回動可能であり、上記排紙スタッカーの規制部材は、前記給紙スタッカー上面の載置基準板よりもシート搬送方向と交差する方向に退避して設けられていて、その上方が給紙スタッカーの傾斜に沿って排紙方向に延設されるともにその上方の一部で給紙スタッカーの上記載置基準の裏側を直接支持したシート送り装置である。
【００１３】
第６の発明は、シート画像を読み取る画像読取装置において、上記１ないし５のいずれかシート送り装置と、前記シート画像を読み取るための読取手段と備える画像読取装置に適用したものである。
【００１４】
【実施例】
以下この発明に係わるシート送り装置及び画像読取装置の詳細を図面に基づいて実施例を説明する。
【００１５】
図１はこの発明のシート送り装置の実施例を示す自動原稿送り装置１を画像読取装置１００に装着した状態の平図面である。図２は、図１の画像読取装置１００に装着状態の縦断図であり、図３は自動原稿送り装置１の搬送ユニット部の拡大概略図である。
【００１６】
図１及び図２に示すように、本実施例の画像読取装置１００の上面部に自動原稿送り装置１が装着載置されている。
【００１７】
自動原稿送り装置１は、装置本体１００の第１のプラテンガラス１０２上面を原稿が通過するように搬送する。装置本体１００は第２図に示されるように、プラテンガラス１０２を介して、ランプ等の光源１０３からの光を搬送されている原稿に照射し、その反射光をミラー１０４で反射させ、図示しないＣＣＤなどの読み取り手段により光電変換した原稿画像を読み取る。
【００１８】
すなわち、プラテンガラス１０２上面が装置本体１００の読取部を構成しているが、この場合、光源１０３及びミラー１０４などからなる光源ユニットはその読み取り位置に固定状態に設定され、プラテンガラス１０２上を順次搬送される原稿を読み取る。
【００１９】
尚、装置本体１００は例えば手置する原稿やブック状の原稿を、載置可能な第２のプラテンガラス１０５も備えている。この場合は、第２プラテンガラス１０５領域を前述の光源ユニットを副走査方向に移動させてコンタクトガラス１０５を介して画像を読み取ることもできるようになっている。
【００２０】
尚、この実施例にあっては第１のプラテンガラス１０２と第２のプラテンガラス１０５を用いているが、これは１枚のプラテンガラスであってもよく、要は、原稿搬送時の読み取りは光源ユニットが固定され、静止原稿時の読み取りは光源ユニットが移動すればよい。
【００２１】
自動原稿送り装置１は、本体装置１００のオペレーションパネル１０６（図１）側を手前操作側として、奥側は装置本体１００に一対のヒンジ２ａ、２ｂによって装置本体１００に開閉可能になっている（図５参照）。この開閉は、第１のプラテンガラス１０２での搬送原稿のジャム取り出し時や前述したブック状原稿などの読み取りを行う場合に、奥側のヒンジ２ａ、２ｂを中心として、本体装置１００のプラテンガラス面を容易に開放するようになっている。
【００２２】
また、自動原稿送り装置１は、給紙口３側を低くしてその後方（図示ヒンジ２ｂ側）側高くした一定の傾斜角度（約１０度）を有して、複数枚の原稿を支持する給紙スタッカー４と、後述する原稿を１枚づつ分離して第１のプラテンガラス１０２に向けて給送する給送部Ａ、原稿をプラテンガラス１０２上面で通過させる搬送部Ｂ、プラテンガラス１０２を通過した原稿を受け取って排出口６から排出する排出部Ｃ、とからなる原稿搬送ユニット部５と、この排出口６から排出される読み取り済原稿を収納する排紙スタッカー７とを備えている。
【００２３】
さらに、この自動原稿送り装置１は第１のプラテンガラス１０２から排出口６に排出される原稿の排出途中で、排出部Ｃでスイッチバックし再び給送部Ａに送りこみ、原稿の表裏を反転させて、第１のプラテンガラス１０２上面に搬送させるスイッチバック搬送部Ｄを備している。
【００２４】
給紙スタッカー４は、原稿を載置する給紙スタック面４ｂと、このスタッカー面４ｂに支持した原稿の側部を規制して給送するために奥側で上方に突出する固定基準板９が設けられている。この固定基準板９は、給送スタック面８と一体形成されており給送スタッカー４の奥側側部の補強も兼ねている。この固定基準板９と対向する手前操作側には、載置原稿の他方の側縁を規制ガイドする整合ガイド１０ａが摺動溝１０ｂに原稿幅方向に可動可能となっている。
【００２５】
また給送スタッカー４の給送口の両サイドは搬送ユニット部５のフレームに設けられた孔１１に給送スタッカー４から突出するピン１２が嵌合されている。従って給送スタッカー４はこの嵌合部を支点として第２図破線で示すように、上方に回動して排紙スタッカー７上面を大きく解放することができる。
【００２６】
尚、１３ａ、１３ｂは給送スタック面上の原稿の載置状態を検出センサーＳ１Ｓ２のセンサー孔である。
【００２７】
一方、排紙スタッカー７側に対面する給紙スタッカー４の裏面側は図２に示されているように排出口６に近接した位置で排出されるシートの除電をする除電ブラシ１４の基端部が粘着材などによって着脱自在に取り付けられている。したがって、この除電ブラシ１４の交換のときは、給紙スタッカー４を上方に回動して除電ブラシ１４の交換が容易にできる。
【００２８】
また、その排出方向直後には排出されるシートを排出スタッカー７側に案内するように傾斜ガイド部１５が設けられている。この傾斜ガイド１５は排出方向後方に向かって延設されていて、センサーＳ１、Ｓ２を覆うようにカバーとして構成されてもいる。
【００２９】
さらに、この給紙スタッカー４の奥側には後述する排紙スタッカー７と一体的に形成され排出される原稿の側縁を規制する立壁状のシート側縁規制面１６の上方に当接する当接突起部１７が設けられている。この当接によって、給紙スタッカーは所定の角度の傾斜が保持され、支持されるようになっている。
【００３０】
次に、給紙スタッカー４上の原稿を、給紙口３を介して給送、搬送、排出を行う搬送ユニット部５の説明を図２、図３により行う。
【００３１】
給紙口３を有する給紙部Ａは、給紙スタッカー４上の原稿に接して原稿を繰り出す昇降自在な繰り出しローラ１８、繰り出しローラ１８で繰り出された原稿を給紙する給紙ローラ１９と最上位の原稿の１枚のみの通過を許容し、２枚目以降の原稿を阻止するゴム部材からなる分離パット２０とで構成される分離手段、この分離手段で１枚に分離給送された原稿の先端を突き当て原稿の姿勢を整えた後、下流側に送るレジストガイド２５及びレジストローラ対２１とで構成され、第１のプラテンガラス１０２中の原稿読み取り位置へ原稿を給送する。
【００３２】
搬送部Ｂは、プラテンガラス１０２の上流側に、プラテンガラス１０２に原稿を供給する一対の搬送ローラ２２、下流側にプラテンガラス１０２から原稿を排出する一対の下流側搬送ローラ２３を備えており、原稿は装置本体１００側のプラテンガラス１０２及びすくい上げガイド１０７と自動原稿送り装置１側のバックアップガイド２６によって搬送案内される。
【００３３】
尚、バックアップガイド２６にはプラテンガラス１０２側に突出させた位置出し突起２６ｂが、原稿搬送領域の両側に設けられ、この両側の位置出し突起がプラテンガラス１０２に当接することによって、原稿通路を確保している。
【００３４】
排出口６を有する排出部Ｃは、下流側搬送ローラ対２３によってプラテンガラス１０２から下流側搬送ローラ２３によって排出されてくる原稿を搬送する搬送ガイド２７と排紙スタッカー７に排紙する排出口ローラ対２４とから構成されている。
【００３５】
尚、この実施例の自動原稿送り装置１は、前述したように原稿の反側の面（裏面側）を再びプラテンガラス１０２に搬送するいわゆる両面モードを有し、下記からなるスイッチバック部Ｄを有する。
【００３６】
片面側が読み取られた原稿が排出ローラ２４で排紙スタッカー７に向けて排出されている過程でこの原稿後端が切り換えフラッパー２９を通過した後、排出ローラ２４を逆転すると、フラッパー２９上面を原稿が逆送され、その原稿先端はスイッチバックガイド２８ａを通ってレジストローラ２１に到達する。
【００３７】
すなわち、排出口ローラ２４、フラッパー２９及びスイッチバックガイド２８ａによるスイッチバックＤを構成している。
【００３８】
尚、フラッパー２９は第３図に示されるように常に下方側の位置にバネなどの弾性手段によって付勢されており、原稿の先端はこの付勢に抗してフラッパー２９を押し上げて搬送される。
【００３９】
また、レジストローラ対２１の分離給送される経路をスイッチバック経路の合流位置には、レジストローラ対２１のニップに原稿を誘い込む誘い込みマイラー２８ｂが延設されている。
【００４０】
次に図１、図２に戻って、排紙口６から排出される排出スタッカー７について説明する。
【００４１】
この排紙スタッカー７は開閉自在の給紙スタッカー４の下方に位置し、自動原稿送り装置１の搬送ユニット５に支持される給紙スタッカー４及びこの搬送ユニット５を支持するフレームとして合成樹脂で一体形成されている。
【００４２】
すなわち、給紙スタッカー４の固定基準板９側の下方には、この給紙スタッカーに向かって給紙スタッカー面８から直立して排出口６から排出される原稿側縁を規制するシート側縁規則面１６が形成されている。このシート側縁規制面１６の上部は、図２に示されるように給紙スタッカー４の傾斜に沿って排出口６から排出方向に進むに従って上方に傾斜する傾斜上縁部２９を備えている。この傾斜上縁部２９は、整合ガイド１０ａよりも排出方向側でまた固定基準板の排出方向終端の裏面に設けられた給紙スタッカー４の当設突起１７を支持するように当設部３０を有している。この当設によって給紙スタッカー４を支えるとともに、給紙スタッカー４の傾斜角度を設定している。
【００４３】
尚、当設部３０を図２に示すように給紙スタッカー４の後方に位置させたのは、開閉支点（孔１１及び突出ピン１２の嵌合部）近くで支持すると少しの高さの誤差が、給紙スタッカー４の傾斜角度の変動に大きく影響しないようにすることと、給紙スタッカー４の後方側に不用意な力や重量ある物が載置しても給紙スタッカー４を安定して支えられるようにするためである。
【００４４】
また、図４によく示されるように給紙スタッカー４上の固定基準面９に対して排紙スタック面７ｂから直立するシート側縁規制面１６は距離ｌ（約８ｍｍ）奥側に設けられている。これは原稿の排出される際に多少曲がって排出されても余裕を持ってシートを案内するようにするためである。
【００４５】
さらに、シート側縁規制面１６は図２に示されるように排出口から、給紙スタッカー４の傾斜に沿って給紙スタッカー４の裏面側に延設されているが、これは原稿先端が仮に傾いてシート側縁規制面１６側に排出されたときであってもシート側縁規制面１６の傾斜上縁部２９への侵入を防ぐためである。
【００４６】
ところで、この実施例の自動原稿送り装置１は第５図に示すように、装置本体１００に開閉自在となっている。この装置本体１００からの開放の際に、給紙スタッカー４を排出スタック７から開放した状態で、装置本体１００から開放することが考えられるが、この場合であっても、シート側縁規制ガイド１６は給紙スタッカー４のすぐ裏面側まで延設され、比較的高く設定されているので、装置本体１００から自動原稿送り装置１を開放した時も排紙スタッカー７にスタックされている原稿がくずれ落ちることがない。
【００４７】
最後に、上記実施例に即して、発明を説明する。
【００４８】
第１の発明は、給紙口３を介して給送するシートを保持する給紙口３側を低くして傾斜した給紙スタッカー４と、この給紙スタッカー４の上面に設けられ給送するシートの側縁を案内するシートの載置基準板９と、上記この給紙スタッカー４の下方に位置し排紙口６から排出されるシートの側縁を規制する規制部材としてのシート側縁規制面１６を有する排紙スタッカー７とを有し、本体装置１００に対して開閉可能に構成されたシート送り装置としての自動原稿送り装置１であって、上記給紙スタッカー４が排紙スタッカーに対して開閉可能となるように給紙方向と交差する方向に給紙口３側を搬送ユニット５の孔１１と給紙スタッカー４の突出ピン１２を支点として回動可能であり、上記排紙スタッカー４のシート側縁規制面１６はその上方の傾斜縁部２９が給紙スタッカー４の傾斜に沿って排紙方向に延設されるともにその上方の一部である当接部３０で給紙スタッカー４を直接支持したものである。
【００５０】
第２の発明は、上記給紙スタッカー４が、シートの給送方向と交差する方向に移動自在であってシートの給送を案内するシート整合ガイド１０を前記給紙スタッカー上面の載置基準板９に対向して設けるとともに、上記排紙スタッカー４のシート側縁規制面１６が、給紙スタッカー４を支持する当接部３０の位置を整合ガイド１１よりも排紙方向側としたものである。
【００５１】
第３の発明は、上記給紙スタッカー４裏面の排紙口６近傍に排出口から離れるにしたがって排紙スタッカー７側に傾斜して、排出されるシートを排紙スタッカー７に案内する案内ガイドとしての傾斜ガイド部１５を設けたものである。
【００５２】
第４の発明は、上記給紙スタッカー４裏面の排紙口６近傍に排出されるシートの除電を行う除電手段としての除電ブラシ１４を設けたものである。
【００５３】
第５の発明は、給紙口３を介して給送するシートを保持する給紙口３側を低くして傾斜した給紙スタッカー４と、この給紙スタッカーの上面に設けられ給送するシートの側縁を案内するシートの載置基準板９と、上記給紙スタッカー４の下方に位置し排紙口６から排出されるシートの側縁を規制する規制部材としてのシート側縁規制面１６を有する排紙スタッカー７とを有し、本体装置１００に対して開閉可能に構成されたシート送り装置としての自動原稿送り装置１であって、上記給紙スタッカー４は上記載置基準9を一体的に突出させて補強形成されているとともに排紙スタッカー７に対して開閉可能となるように給紙方向と交差する方向に給紙口３側を搬送ユニット５の孔１１と給紙スタッカー４の突出ピン１２を支点として回動可能とし、上記排紙スタッカー７の規制部材16は、図4に示されるように、前記給紙スタッカー上面の載置基準板よりもシート搬送方向と交差する方向に(ｌ分)退避して設けられていて、さらにこの規制部材16の上方の傾斜上縁部２９が給紙スタッカー４の傾斜に沿って排紙方向に延設されるともにその傾斜上縁部２９の一部である当接部３０で給紙スタッカー４のシート側縁規制面９の裏側を直接支持したものである。
【００５４】
第６の発明は、上記１ないし６のいずれかの発明のシート送り装置は、シート画像を読み取るための読取手段を備える画像読取装置100に適用したものである。
【００５５】
以上によれば、排紙スタッカー７の排紙スタック面７ｂから一体的に起立し、排出されるシートの側縁を規制するシート側縁規制面１６が給紙スタッカー４の傾斜に沿ってシート排出方向に延設された傾斜上延部２９の後方側で、回動可能な給紙スタッカー４を支持したので給紙スタッカーの所定の傾斜角度を確保しつつ安定して支持できる。また、シート側縁規制面１６が給紙スタッカー４の支持を兼用しているので、給紙スタッカー側から特別な支持部材を突出させる必要がなく全体としてコンパクトな装置となり、また排出するシートが曲がって排出されても、その先端がこの給紙スタッカー４側から突出させた支持部材に当接してジャムを起こすことがない。加えて、シート側縁規制面１６が記給紙スタッカー上面の載置基準板よりもシート搬送方向と交差する方向に(ｌ分)退避して設けられていているので、排出原稿が曲がって排出されてこのシート側縁規制面１６に衝突してシートの先端が折れたりジャムが発生することがない。
【００５６】
【発明の効果】
この発明によれば、排出時にシートの先端等のジャム発生を少なくし、また開放可能な給紙スタッカーを安定して位置決めするとともに、シート幅方向がコンパクトにできるシート給送装置の提供が可能となる。
【００５７】
【図面の簡単な説明】
【図１】この発明のシート送り装置の実施例を示す自動原稿送り装置１を画像読取装置１００に装着した状態の平図面である。
【図２】図１の画像読取装置１００に自動原稿送り装置１を装着した状態の縦断図である。
【図３】自動原稿送り装置１の搬送ユニット部５の拡大概略図である。
【図４】給紙スタッカー４と排紙スタッカー７のシート側縁規制面１６との当接状態の拡大図である。
【図５】画像読取装置１００に対して自動原稿送り装置１を開放した説明図である。
【符号の説明】
１…自動原稿送り装置１（シート送り装置）
２ａ…ヒンジ
２ｂ…ヒンジ
３…給紙口
４…給紙スタッカー
４ｂ…給紙スタック面
６…排出口
７…排紙スタッカー
７ｂ…排紙スタック面
９…固定基準板
１０ａ…整合ガイド
１１…（搬送ユニット側の）孔
１２…（給送スタッカー側の）突出ピン
１４…除電ブラシ
１５…傾斜ガイド部
１６…シート側縁規制面
１７…（給紙スタッカー裏面側の）当接突起
２９…傾斜上縁部
【図１】
0003629202.tif 000002
【図２】
0003629202.tif 000003
【図３】
0003629202.tif 000004
【図４】
0003629202.tif 000005
【図５】
0003629202.tif 000006